(57)【特許請求の範囲】
【請求項１】
炉長方向の長さが炉幅方向の長さよりも長くなった炉床の上に炉壁と天井とを構築させて連続炉を製造するにあたり、炉床の上に所定高さになった下部炉壁を炉長方向に沿って設ける一方、上部炉壁と天井部材とが一体化されて炉長方向に所定長さになった上部ユニットを設け、前記下部炉壁上に移動用クレーンを移動可能に保持させ、この移動用クレーンを前記下部炉壁上で炉長方向に移動させて、移動用クレーンにより炉内用部材を搬送させた後、前記上部ユニットを前記下部炉壁上で炉長方向に沿って移動させて、上部ユニットを順々に所定位置に導くことを特徴とする連続炉の製造方法。
【請求項２】
請求項１に記載の連続炉の製造方法において、前記下部炉壁と前記上部ユニットにおける上部炉壁との間に台車を設置し、この台車により前記上部ユニットを前記下部炉壁上で炉長方向に沿って移動させて、上部ユニットを所定位置に導くことを特徴とする連続炉の製造方法。
【発明の詳細な説明】
【技術分野】
【０００１】
本発明は、連続炉の製造方法に関するものである。特に、炉長方向の長さが炉幅方向の長さよりも長くなった炉床の上に炉壁と天井とを構築させて連続炉を製造するにあたり、様々な設備を新たに設ける必要がなく、また高所での作業も少なくなり、作業工数や作業スペースを少なくして、連続炉を安全に効率よく製造できるようにした点に特徴を有するものである。
【背景技術】
【０００２】
従来から、炉長方向の長さが炉幅方向の長さよりも長くなった炉床の上に炉壁と天井とを構築させて連続炉を製造することが行われている。
【０００３】
ここで、このような連続炉を製造するにあたり、従来においては、一般に、炉長方向の長さが炉幅方向の長さよりも長くなった炉床の上に、所定高さの炉壁を炉長方向に沿って順々に構築した後、炉長方向の長さが炉幅方向の長さよりも所定長さになった天井部材を、クレーン等で吊り上げた状態で炉長方向に沿って搬送させ、前記のように構築された炉壁の上に天井部材を順々に載置させて連続炉を製造することが行われている。
【０００４】
しかし、この場合には、特許文献１や特許文献２に示されるように、天井部材を吊り上げて搬送させるための門型クレーン等の設備が必要になると共に、炉床の上に炉壁を炉長方向に沿って順々に構築させた後、構築された炉壁の上に天井部材をクレーン等で吊り上げた状態で炉長方向に沿って搬送させる作業を行うことが必要になって作業効率が悪く、また天井部材をクレーン等で吊り上げた状態で炉長方向に沿って搬送させて、構築された炉壁の上に天井部材を順々に載置させるためには、足場等を組み立てて高所で作業することが必要になり、安全性を確保するための準備が必要になると共に、炉床の周囲に門型クレーンを走行させるレールを敷設するため等の大きな作業スペースも必要になり、さらに天井部材をクレーン等で吊り上げた状態で何度も移動させることが必要になって作業工数も多くなり、作業が困難かつ面倒で時間がかかり、連続炉を安全に効率よく製造することはできなかった。
【０００５】
また、従来においては、炉床の上に炉長方向に沿って所定高さの炉壁を構築した後、この炉壁の上に炉天井を設けるにあたり、特許文献３に示されるように、前記の炉壁の上方において、天井を支持する複数の支持梁の下に炉長方向や炉幅方向に伸びた複数の天井吊り金物を設け、この天井吊り金物に天井部材を順々に吊り下げて、各天井部材を炉壁の上に保持させて、炉壁の上に天井を設けるようにしたものも提案されている。
【０００６】
しかし、この場合には、構築された炉壁の上に設けられた複数の支持梁の下に炉長方向や炉幅方向に伸びた複数の天井吊り金物を設けると共に、この天井吊り金物に天井部材を順々に吊り下げることが必要になり、足場等を組み立てて高所で行う作業が非常に多くなり、作業が非常に困難かつ面倒であり、前記の場合と同様に、連続炉を安全に効率よく製造することはできなかった。
【先行技術文献】
【特許文献】
【０００７】
【特許文献１】実公平７−２７９８号公報
【特許文献２】特開２０１３−１００１７８号公報
【特許文献３】特開２００７−２４００５３号公報
【発明の開示】
【発明が解決しようとする課題】
【０００８】
本発明は、連続炉を製造する場合における前記のような様々な問題を解決することを課題とするものである。
【０００９】
すなわち、本発明においては、連続炉を製造するにあたり、様々な設備を新たに設ける必要がなく、また高所での作業も少なくなり、作業工数や作業スペースを少なくして、連続炉を安全に効率よく製造できるようにすることを課題とするものである。
【課題を解決するための手段】
【００１０】
本発明における連続炉の製造方法においては、前記のような課題を解決するため、炉長方向の長さが炉幅方向の長さよりも長くなった炉床の上に炉壁と天井とを構築させて連続炉を製造するにあたり、炉床の上に所定高さになった下部炉壁を炉長方向に沿って設ける一方、上部炉壁と天井部材とが一体化されて炉長方向に所定長さになった上部ユニットを設け、前記下部炉壁上に移動用クレーンを移動可能に保持させ、この移動用クレーンを前記下部炉壁上で炉長方向に移動させて、移動用クレーンにより炉内用部材を搬送させた後、前記上部ユニットを前記下部炉壁上で炉長方向に沿って移動させて、上部ユニットを順々に所定位置に導くようにした。
【００１１】
このようにすると、炉床の上に所定高さになった下部炉壁を炉長方向に沿って設ける作業と、上部炉壁と天井部材とが一体化された炉長方向に所定長さになった上部ユニットを製造する作業とを同時に行うことができるようになり、連続炉を製造する工期を短縮させることができる。
【００１２】
そして、このように製造した上部ユニットを炉床の上に設けられた下部炉壁の上にセットし、この上部ユニットを前記の下部炉壁の上を炉長方向に沿って移動させて、上部ユニットを下部炉壁の上の所定位置に順々に導くことにより、連続炉を製造することができるようになる。
【００１３】
ここで、前記のように上部ユニットを炉床の上に設けられた下部炉壁の上を炉長方向に沿って移動させるにあたっては、前記の下部炉壁と前記の上部ユニットにおける上部炉壁との間に台車を設置し、この台車により上部ユニットを炉床の上に設けられた前記の下部炉壁の上を炉長方向に沿って移動させて、所定位置に導くようにすることができる。なお、このように上部ユニットを台車により下部炉壁の上を移動させて、上部ユニットを所定位置に導いた後は、この上部ユニットを持ち上げて前記の台車を取り外し、上部ユニットを下すことによって下部炉壁の所定の位置にセットさせるようにする。
【００１４】
また、本発明における連続炉の製造方法においては、前記のように上部ユニットを炉床の上に設けられた前記の下部炉壁の上を炉長方向に沿って移動させて、上部ユニットを順々に所定位置に導くようにする他、下部炉壁の上に移動用クレーンを取り外し可能に設け、この移動用クレーンを下部炉壁の上を炉長方向に沿って移動させて、移動用クレーンにより炉内用部材を搬送させてセットした後、前記のように上部ユニットを、炉床の上に設けられた前記の下部炉壁の上を炉長方向に沿って移動させて、上部ユニットを順々に所定位置に導くようにした。
【発明の効果】
【００１５】
本発明における連続炉の製造方法においては、前記のように炉床の上に所定高さになった下部炉壁を炉長方向に沿って設ける一方、上部炉壁と天井部材とが一体化されて炉長方向に所定長さになった上部ユニットを別の場所で組み立てて、この上部ユニットを炉床の上に設けられた前記の下部炉壁の上を炉長方向に沿って移動させて、上部ユニットを順々に所定位置に導くようにしたため、連続炉を製造するのに様々な設備を新たに設ける必要がなく、また高所での作業も少なくなり、作業工数や作業スペースを少なくして、連続炉を安全に効率よく製造できるようになる。
【図面の簡単な説明】
【００１６】
【図１】本発明の実施形態における連続炉の製造方法によって製造する連続炉を示し、（Ａ）は概略側面図、（Ｂ）は概略断面図である。
【図２】前記の実施形態における連続炉の製造方法において、炉床の上に所定高さになった下部炉壁を炉長方向に沿って設ける状態を示し、（Ａ）は概略平面図、（Ｂ）は概略正面図である。
【図３】前記の実施形態における連続炉の製造方法において、上部炉壁と天井部材とが一体化されて炉長方向に所定長さになった上部ユニットを示し、炉床の上に所定高さになった下部炉壁を炉長方向に沿って設ける状態を示し、（Ａ）は概略底面図、（Ｂ）は上部ユニットを別の床面の上で組み立てる状態を示した概略正面図である。
【図４】前記の実施形態における連続炉の製造方法において、（Ａ）は上部ユニットをクレーンにより吊り上げて、炉床の上に設けた下部炉壁における炉長方向一端側の上に導いた状態を示した概略側面図、（Ｂ）は前記の上部ユニットを下部炉壁の上に保持させ、この上部ユニットを炉長方向に沿って下部炉壁の上を移動させて所定位置に導く状態を示した概略側面図である。
【図５】前記の実施形態における連続炉の製造方法において、上部ユニットを下部炉壁の上に保持させ、この上部ユニットを炉長方向に沿って下部炉壁の上を移動させるにあたり、下部炉壁の上面部に案内レール部を設ける一方、上部炉壁の下面部に前記の案内レール部の上にスライド可能に装着させる装着部を設けた例を示し、（Ａ）は上部ユニットを下部炉壁の上に装着させる前の状態を示した概略正面図、（Ｂ）は上部ユニットを下部炉壁の上に装着させた状態を示した概略正面図である。
【図６】前記の実施形態における連続炉の製造方法において、上部ユニットを下部炉壁の上に保持させ、この上部ユニットを炉長方向に沿って下部炉壁の上を移動させるにあたり、下部炉壁と上部ユニットにおける上部炉壁との間に台車を設置させる例を示し、（Ａ）は前記の上部ユニットを台車により下部炉壁の上に保持させた状態を示した概略正面図、（Ｂ）は前記の台車により上部ユニットを炉長方向に沿って下部炉壁の上を移動させて所定位置に導く状態を示した概略側面図、（Ｃ）は前記の上部ユニットを台車により下部炉壁の上に保持させた状態を示した部分拡大説明図である。
【図７】前記の実施形態における連続炉の製造方法において、下部炉壁の上に移動用クレーンを移動可能に保持させた例を示し、（Ａ）は概略正面図、（Ｂ）は移動用クレーンを炉長方向に沿って下部炉壁の上を移動させる状態を示した概略側面図である。
【発明を実施するための最良の形態】
【００１７】
以下、この発明の実施形態に係る連続炉の製造方法を添付図面に基づいて具体的に説明する。なお、この発明に係る連続炉の製造方法は下記の実施形態に示したものに限定されず、発明の要旨を変更しない範囲において、適宜変更して実施できるものである。
【００１８】
この実施形態においては、図１（Ａ），（Ｂ）に示すように、連続炉１の設置場所の床面Ｇに設けられた炉長方向に長くなった炉床１０の上に炉壁２０と天井３０とを構築させて連続炉１を製造する場合について説明する。
【００１９】
ここで、この実施形態においては、図２（Ａ），（Ｂ）に示すように、床面Ｇに設けられた炉床１０の上に、所定高さになった下部炉壁２１を炉長方向に沿って順々に設ける一方、図３（Ａ），（Ｂ）に示すように、前記の炉床１０の上に下部炉壁２１を設けた床面Ｇとは別の床面Ｇ’の場所で、上部炉壁２２と天井部材３１とが一体化されて炉長方向に所定長さになった上部ユニットＵを組み立てるようにしている。
【００２０】
このようにすると、炉床１０の上に所定高さになった下部炉壁２１を炉長方向に沿って順々に設ける作業と、上部炉壁２２と天井部材３１とが一体化されて炉長方向に所定長さになった上部ユニットＵを組み立てる作業とを同時に進行することができる。これにより、従来は下部から上部へと順番に組み立てていた連続炉１を上部と下部とに分けて組み立てることができるようになり、連続炉１を製造する作業の工期を短縮できるようになる。
【００２１】
また、前記のように別の床面Ｇ’の場所で、上部炉壁２２と天井部材３１とが一体化されて炉長方向に所定長さになった上部ユニットＵを組み立てるため、高所に設置される天井３０を、従来よりも低いところで組み立てることができ、作業の安全性も向上する。
【００２２】
そして、この実施形態においては、図４（Ａ），（Ｂ）に示すように、前記の上部ユニットＵをクレーン２により吊り上げて、この上部ユニットＵを炉床１０の上に設けた前記の下部炉壁２１における炉長方向一端側の上に導いた後、この上部ユニットＵを下降させて下部炉壁２１の上に保持させ、この上部ユニットＵを炉長方向に沿って前記の下部炉壁２１の上を移動させて、上部ユニットＵを順々に所定位置に導くようにしている。
【００２３】
ここで、前記のように上部ユニットＵを炉床１０の上に設けられた下部炉壁２１の上に保持させて、この上部ユニットＵを下部炉壁２１の上を炉長方向に沿って移動させるにあたっては、例えば、図５（Ａ），（Ｂ）に示すように、前記の下部炉壁２１の上面部を補強する金属製の案内レール部２１ａを設ける一方、前記の上部ユニットＵにおける上部炉壁２２の下面部に前記の案内レール部２１ａの上にスライド可能に装着させる金属製の装着部２２ａを設けるようにすることができる。
【００２４】
そして、前記のように上部ユニットＵをクレーン２により吊り上げて下部炉壁２１の上に導いた後、上部ユニットＵを下降させて、図５（Ｂ）に示すように、上部炉壁２２の下面部に設けた装着部２２ａを下部炉壁２１の上面部に設けた案内レール部２１ａに被せるようにして装着させ、この状態で、前記のように上部ユニットＵを炉長方向に沿って前記の下部炉壁２１の上を移動させるようにすることできる。
【００２５】
ここで、前記の装着部２２ａは逆凹型になっていて、案内レール部２１ａを両側から囲うようにしているため、上部ユニットＵを炉長方向に沿って下部炉壁２１の上を移動させる際に、上部ユニットＵが下部炉壁２１の上面部から外れて落ちないようになっている。
【００２６】
また、前記のように上部ユニットＵを炉長方向に沿って下部炉壁２１の上を移動させて、上部ユニットＵを下部炉壁２１の上の所定位置に順々に導いた後は、上部ユニットＵにおける上部炉壁２２の下面部と下部炉壁２１の上面部とを、例えばＸで示す箇所でスミ肉溶接等により固定させるようにする。
【００２７】
また、前記のように上部ユニットＵを炉長方向に沿って下部炉壁２１の上を移動させるにあたっては、例えば、図６（Ａ），（Ｂ），（Ｃ）に示すように、前記の下部炉壁２１と上部ユニットＵにおける上部炉壁２２との間に台車２３を設置して、この台車２３により前記の上部ユニットＵを保持させ、この状態で、上部ユニットＵを台車２３により前記の下部炉壁２１の上を炉長方向に沿って移動させて、上部ユニットＵを所定位置に導くようにすることができる。
【００２８】
そして、このように上部ユニットＵを所定位置に導いた後は、図示していないが、前記の上部ユニットＵをジャッキ等により持ち上げて、前記の台車２３を前記の下部炉壁２１と上部炉壁２２との間から取り出した後、前記のジャッキ等を下して、上部ユニットＵを下部炉壁２１の上の所定位置にセットさせるようにすることができる。
【００２９】
ここで、前記の台車２３としては、チルタンクのようなものを用いることもできるが、この実施形態においては、前記の図６（Ｃ）に示すように、車輪２３ａの回転軸２３ｂの両側において、回転軸２３ｂを回転可能に保持する軸受けプレート２３ｃ，２３ｄと、上部炉壁２２の下面部を載置させる上部プレート２３ｅとが一体になった台車２３を用いるようにしている。
【００３０】
そして、この台車２３における外側の軸受けプレート２３ｃを、上部炉壁２２や下部炉壁２１と対面する位置まで延出させるようにし、上部炉壁２２と対面する軸受けプレート２３ｃの部分においてボルト２３ｆにより台車２３を上部炉壁２２に取り付けるようにすると共に、下部炉壁２１と対面する軸受けプレート２３ｃの部分においては、下部炉壁２１と軸受けプレート２３ｃとが接触しないようにしている。
【００３１】
このようにすると、上部ユニットＵを下部炉壁２１の上の所定位置に導いた後、前記のボルト２３ｆを取り外して、上部ユニットＵを下部炉壁２１の上の所定位置にセットさせることができ、また上部ユニットＵを下部炉壁２１の上で移動させる際に、台車２３が下部炉壁２１の上から外れるのも防止されるようになる。
【００３２】
なお、前記の台車２３においては、外側の軸受けプレート２３ｃを、上部炉壁２２や下部炉壁２１と対面する位置まで延出させるようにしたが、内側の軸受けプレート２３ｄを、上部炉壁２２や下部炉壁２１と対面する位置まで延出させ、上部炉壁２２と対面する軸受けプレート２３ｄの部分においてボルト２３ｆにより台車２３を上部炉壁２２に取り付けるようにすることもできる。
【００３３】
そして、前記のように下部炉壁２１と上部ユニットＵにおける上部炉壁２２との間に台車２３を設置して、上部ユニットＵを下部炉壁２１の上を炉長方向に沿って移動させるようにすると、上部ユニットＵをを移動させるために必要な力を少なくすることができ、作業効率が向上する。
【００３４】
また、この実施形態においては、図７（Ａ），（Ｂ）に示すように、前記の下部炉壁２１の上に移動用クレーン４０を移動可能に設け、この移動用クレーン４０に炉内用部材Ｗを保持させ、この状態で移動用クレーン４０を下部炉壁２１の上を炉長方向に移動させて、炉内用部材Ｗを移動用クレーン４０により搬送させるようにすることができる。例えば、前記の連続炉１として、図示していないが、ウォーキングビーム式連続加熱炉を製造するような場合には、この移動用クレーン４０により炉内に設置する固定支柱や固定ビームや移動ビーム等の炉内用部材Ｗを搬送させるようにすることができる。
【００３５】
そして、このように移動用クレーン４０により炉内用部材Ｗを搬送させた後、この移動用クレーン４０を下部炉壁２１の上から取り外し、前記のように上部ユニットＵをこの下部炉壁２１の上を炉長方向に沿って移動させ、上部ユニットＵを下部炉壁２１の上の所定位置に順々に導いて、連続炉１を製造することができる。
【００３６】
なお、前記の移動用クレーン４０は、炉床１０に設けられた下部炉壁２１の上を炉長方向に沿って移動するため、従来の門型クレーンを設置する場合のように、炉床１０の外側に門型クレーンを移動させるための専用レールを敷設するための広いスペースや、専用レールを敷設する作業を行う必要がなくなる。
【符号の説明】
【００３７】
１      ：連続炉
２      ：クレーン
１０    ：炉床
２０    ：炉壁
２１    ：下部炉壁
２１ａ  ：案内レール部
２２    ：上部炉壁
２２ａ  ：装着部
２３    ：台車
２３ａ  ：車輪
２３ｂ  ：回転軸
２３ｃ  ：軸受けプレート
２３ｄ  ：軸受けプレート
２３ｅ  ：上部プレート
２３ｆ  ：ボルト
３０    ：天井
３１    ：天井部材
４０    ：移動用クレーン
Ｇ，Ｇ’  ：床面
Ｕ      ：上部ユニット
Ｗ      ：炉内用部材
【要約】
【課題】  炉長方向の長さが炉幅方向の長さよりも長くなった炉床の上に炉壁と天井とが構築された連続炉を製造するにあたり、様々な設備を新たに設ける必要がなく、高所での作業も少なくなり、作業工数や作業スペースを少なくして、連続炉を安全に効率よく製造できるようにする。
【解決手段】  炉長方向の長さが炉幅方向の長さよりも長くなった炉床10の上に炉壁20と天井30とを構築させて連続炉1を製造するにあたり、炉床10の上に所定高さになった下部炉壁21を炉長方向に沿って設ける一方、上部炉壁22と天井部材31とが一体化されて炉長方向に所定長さになった上部ユニットUを別の場所で設け、この上部ユニットUを炉床10の上に設けられた下部炉壁21の上を炉長方向に沿って移動させて、上部ユニットUを順々に所定位置に導くようにした。
【選択図】  図４【図１】
0005925952.tif 000002
【図２】
0005925952.tif 000003
【図３】
0005925952.tif 000004
【図４】
0005925952.tif 000005
【図５】
0005925952.tif 000006
【図６】
0005925952.tif 000007
【図７】
0005925952.tif 000008